(57)【要約】      （修正有）【課題】広い浴室でも均一の温湿度を得ることができるサウナ装置を提供することを目的とする。【解決手段】空気を加熱する手段として水−空気熱交換器１５と、加熱された空気を送風する加熱空気送風手段として貫流ファン１８と、水または温水を噴射する噴射手段として直接噴射ノズル２２と、前記噴射手段への給水手段として給水管と、送風のための吸込口２０および吹出口１９を備え、前記加熱空気送風手段の下流側に前記噴射手段を設けたことにより、広い浴室でも均一の温湿度を得ることができるサウナ装置が得られる。【選択図】図２
2006288712.tif 000002
【特許請求の範囲】
【請求項１】
空気を加熱する加熱手段と、この加熱手段により加熱された空気を送風する加熱空気送風手段と水または温水を噴射する直接噴射手段と、前記直接噴射手段に水または温水を供給する給水手段と、送風のための吸込口および吹出口とを備え、前記加熱空気送風手段の下流側に前記直接噴射手段を設けたことを特徴とするサウナ装置。
【請求項２】
噴射手段を吹出口の上流側近傍に設け、送風吹出方向を可変可能なルーバーを前記吹出口に設けたことを特徴とする請求項１記載のサウナ装置。
【請求項３】
空気を加湿する加湿手段と、この加湿手段により加湿された加湿空気を送風する加湿空気送風手段とを備えるとともに、加熱手段と加熱空気送風手段と直接噴射手段とルーバーと加湿手段と加湿空気送風手段の運転停止を制御して、吹き出し空気の状態を変更し、ミストサウナ雰囲気に係わる水滴の大きさの割合を変化させることを特徴とした請求項１または２記載のサウナ装置。
【請求項４】
加湿手段を、水または温水を供給する給水手段と、前記給水手段から給水された水または温水を噴射する予備噴射手段と、前記予備噴射手段により噴射された水または温水を衝突させて破砕する水破砕手段と前記水破砕手段により供給された水滴群を大粒の水滴と微細な水滴に分離し、大粒の水滴を除去する気液分離手段とにより構成した請求項３記載のサウナ装置。
【請求項５】
加熱空気送風手段に加熱送風量を可変する加熱送風可変手段を設け、加湿空気送風手段に加湿送風量を可変する加湿送風可変手段を設けたことを特徴とする請求項３記載のサウナ装置。
【請求項６】
吹出口を天井面から下に離したパネルに開口して吹出風路を形成するとともに、吸込口をパネルと天井面との間隔におよびまたはパネル面に形成して吸込み風路を形成した請求項１または４記載のサウナ装置。
【請求項７】
水または温水を供給する給水手段に元開閉弁を設けるとともに、直接噴射ノズルと予備噴射弁ノズルそれぞれに開閉弁を設け、停止時に直接噴射弁と予備噴射弁それぞれの開閉弁を開にして残水を排水するようにした請求項４記載のサウナ装置。
【請求項８】
水または温水を供給する給水手段に元開閉弁を設けるとともに、元開閉弁から先を分岐し、分岐した一方に直接噴射ノズルまたは予備噴射ノズルのどちらのノズルを設けるとともに、分岐した他方には直接噴射ノズルまたは予備噴射ノズルのどちらか残りのノズルを開閉弁を介して設けた構成とした請求項４記載のサウナ装置。
【請求項９】
開閉弁を配管の最上部に設けたことを特徴とする請求項８記載のサウナ装置。
【請求項１０】
直接噴射手段の開口部を予備噴射手段の開口部より高い位置に設けたことを特徴とする請求項７または８記載のサウナ装置。
【請求項１１】
給水温度検出手段を設け、水温が低い場合には予備噴射ノズルからのみ噴出するこ  とができるようにした請求項７または８に記載のサウナ装置。
【発明の詳細な説明】
【技術分野】
【０００１】
本発明は、浴室内を高温高湿なサウナ空間にするサウナ装置に関する。
【背景技術】
【０００２】
従来、この種のサウナ装置の一例として、浴室の天井に設置し浴室をサウナ室とするミスト装置が知られている（例えば特許文献１参照）。
【０００３】
以下、そのミスト装置について図８を参照しながら説明する。
【０００４】
図に示すように、循環ファン１０１や可動ルーバー１０２を設けた装置本体１０３を覆うグリル板１０４を設けるとともに、装置本体１０３には吸気口１０５を通して室内の空気を吸引し、吹出口１０６より吹き出すための循環通風路１０７と、循環通風路１０７に対して通風作用をする循環ファン１０１と、循環通風路１０７を通風する空気を加熱する熱交換器１０８と、吹出口１０６を通して吹き出される空気の吹出方向を変化させる可動ルーバー１０２とが設けてある。さらに、室内の空気を吸引して排気ダクト１０９を通して屋外に排気する換気ファン１１０とを設けるとともに、吸気口１０５の側方に室内にミストを噴出するミスト噴出部１１１を設ける構成としてサウナ空間を生成していた。
【０００５】
また、その他のサウナ装置の一例として、浴室にミストノズルユニットを設置するミスト式浴室暖房装置も知られている（例えば特許文献２参照）。
【０００６】
以下、そのミスト式浴室暖房装置について図９を参照しながら説明する。
【０００７】
図に示すように、浴室１１２に、ミストサウナ機能付風呂給湯機１１３と接続したミストノズルユニット１１４が設置されており、このミストノズルユニット１１４には大量のミストを放出する大量ミストノズル１１５と少量のミストを放出する少量ミストノズル１１６とが取付けられている。なお、切換弁１１７で配管１１８を経由して来た温水をミストノズル大量１１５と少量ミストノズル１１６側に切り替えて供給している。そして、浴室１１２にはミストリモコン１１９と温度センサー１２０が設けられ、信号線１２１にてミストサウナ機能付風呂給湯機１１３と接続しており、ガス供給ライン１２２と水供給ライン１２３もミストサウナ機能付風呂給湯機１１３と接続されている。
【０００８】
前記装置では、制御器１２４で、浴室１１２内の温度が低い場合は切換弁１１７を大量ミストノズル１１５側に切り替えて大量のミストを浴室１１２内に放出し、浴室１１２内の温度が設定温度に到達したら少量ミストノズル１１６に切り替えている。
【特許文献１】特開２００２−３３６３２７号公報（第３−５頁、図５）
【特許文献２】特開平６−８８６２９号公報（第２頁、図１）
【発明の開示】
【発明が解決しようとする課題】
【０００９】
このような従来のサウナ装置では、ノズルからは水滴径が１〜５００μｍのミストが噴出されるため、ミストが到達する範囲は限られるとともに大きい水滴のものはそのまま滴下していくので、広い浴室などではミストが到達していない所とで温度と湿度が異なる温湿度ムラが生じるという課題があり、また装置の吹出口から加熱空気を吹き出し、ミストをミスト噴出部から別々に噴出しても、加熱空気とミストが充分に混合されないために温度と湿度の温湿度むらが発生するという課題があり、広い浴室などでも温風と湿度を混合して均一な温湿度を得ることが要求されている。
【００１０】
また、ミスト噴出部が吸気口の側方に設けられているため、噴出されたミストの一部は吸気口に吸込まれ、吸気口に多量の水滴が付着したり結露が発生するという課題があり、カビの繁殖を抑制するためにも、結露量を少なくすることが要求されている。
【００１１】
また、ミスト噴射部が吸気口の側方に設けられているため、デザイン的に制約が多いという課題があり、使用者の嗜好にあった多様なデザインを提供することが要求されている。
【００１２】
さらに従来のサウナ装置では、滴下した大きな水滴が使用者の体に直接付着すると噴射開始時に冷水が噴霧されると快適性が損なわれるという課題があり、また体表面から気化熱を奪うことや水滴と汗を判別しにくいことからサウナ感覚が不足するという課題があり、またこれらの感覚は個人差があり、さらに読書をするにも書物に水滴が付着するという課題があり、水滴が付着せず、体の負荷を軽減しながらドライサウナと近い感覚になり、またドライサウナ同様の読書等行動が制約されない快適な空間を提供することが要求されている。
【００１３】
さらに従来のサウナ装置では、加熱空気とミストが別々に室内に放出されることにより、温湿度のコントロールが容易でないという課題があり、またノズルから噴射する水量をリニアに可変できない構造の場合、ノズルの切り替えだけでは加熱量と加湿量コントロールが困難という課題があり、立ち上がりを良くしながら温湿度のコントロールを容易にできるようにすることが要求されている。
【００１４】
本発明は、このような従来の課題を解決するものであり、広い浴室でも均一の温湿度分布を得ることができ、また本体や浴室内の壁面の結露量を少なくでき、また使用者の嗜好にあった多様なデザインを提供でき、また個人差にかかわらず体の負荷を軽減しながらドライサウナと近い感覚にすることができるとともにサウナ室内で読書ができ、また立ち上がりをよくして快適性が向上させるもので、かつ温湿度のコントロールが容易にでき、制御性がよく信頼性が高いサウナ装置を提供することを目的としている。
【課題を解決するための手段】
【００１５】
本発明のサウナ装置は上記目的を達成するために、空気を加熱する加熱手段と、この加熱手段により加熱された空気を送風する加熱空気送風手段と、水または温水を噴射する噴射手段と、前記噴射手段に水または温水を供給する給水手段と、送風のための吸込口および吹出口を備え、前記加熱空気送風手段の下流側に前記噴射手段を設けた構成としたものである（請求項１）。
【００１６】
この手段により、比較的大粒の水滴も加熱空気と一緒に吹き出されるため、微細化され、広い浴室でも均一の温湿度のサウナ空間が得られ、温湿度むらがなくなって容易に温湿度をコントロールすることができるため、安定した温度湿度の空間を実現できるサウナ装置が得られる。また、比較的大粒の水滴が微細化されて、水滴の付着や結露を軽減できるサウナ装置が得られる。
【００１７】
また、他の手段は、噴射手段を吹出口の上流側近傍に設け、送風吹出方向を可変可能なルーバーを前記吹出口に設けた構成としたものである（請求項２）。
【００１８】
この手段により、ミスト噴射角度が送風吹出方向の角度で変更され、ミスト噴射角度を変更するために駆動部を新たに設ける必要はなく、信頼性の高いミスト装置が得られる。また、噴射部が可変ルーバー内部に設けられているため、使用者の嗜好にあった多様なデザインのサウナ装置が得られる。
【００１９】
また、他の手段は、空気を加湿する加湿手段と、この加湿手段により加湿された加湿空気を送風する加湿空気送風手段とを備えるとともに、加熱手段と加熱空気送風手段と給水手段とルーバーと加湿手段と加湿空気送風手段の運転停止を制御して吹出し空気の状態を変更しサウナ雰囲気すなわち空気中の水滴の大きさの割合を変化させる構成としたものである（請求項３）。
【００２０】
この手段により給水手段のみを運転すると従来のノズル噴霧のサウナ雰囲気であり、給水手段に加えて加熱空気送風手段を運転すると大きな水滴の量が軽減したサウナ雰囲気となり、また加湿手段と加湿空気送風手段とを運転すると微細水滴のみのドライサウナ雰囲気に近いものとなり、個人差にかかわらず体の負荷を軽減しながらドライサウナと近い感覚にすることができるとともにサウナ室内で読書ができ、また立ち上がりをよくしながら温湿度のコントロールが容易にできる制御性がよく快適性が向上したサウナ装置が得られる。
【００２１】
また、他の手段は、加湿手段を、水または温水を供給する給水手段と、前記給水手段から給水された水または温水を噴射する予備噴射手段と、前記予備噴射手段により噴射された水または温水を衝突させて破砕する水破砕手段と前記水破砕手段により供給された水滴群を大粒の水滴と微細な水滴に分離し、大粒の水滴を除去する気液分離手段とにより構成したものである（請求項４）。
【００２２】
この手段により加湿が簡単に行え、水分子負荷負イオンがある空間が提供でき、制御性がよく快適性が向上したサウナ装置が得られる。
【００２３】
また、他の手段は、加熱空気送風手段に加熱送風量を可変する加熱送風可変手段を設け、加湿空気送風手段に加湿送風量を可変する加湿送風可変手段を設けたものである（請求項５）。
【００２４】
この手段により、温湿度制御がきめ細かく行え、制御性が向上して快適性が向上したサウナ装置が得られる。
【００２５】
また、他の手段は、吹出口を天井面から下に離したパネルに開口して吹出し風路を形成したものである（請求項６）。
【００２６】
この手段により、吸込み風路の空気抵抗が減り効率的なファン動作を行えるだけでなく、装置内部への加熱送風手段と加湿送風手段の配置の自由度が高まり、信頼性の高いサウナ装置が得られる。
【００２７】
また、他の手段は、水または温水を供給する給水手段に元開閉弁を設けるとともに、直接噴射手段と予備噴射手段にそれぞれに開閉弁を設け、停止時にそれぞれの開閉弁を開にして残水を排水するようにしたものである（請求項７）。
【００２８】
この手段により、停止時には残水が排水されるので、機器内で残水が凍結せず信頼性が向上し、また残水のにおいや菌発生を抑止し快適性が向上したサウナ装置が得られる。
【００２９】
また、他の手段は、水または温水を供給する給水手段に元開閉弁を設けるとともに、元開閉弁から先を分岐し、分岐した一方に直接噴射ノズルまたは予備噴射ノズルのどちらのノズルを設けるとともに、分岐した他方には直接噴射ノズルまたは予備噴射ノズルのどちらか残りのノズルを開閉弁を介して設けた構成としたものである（請求項８）。
【００３０】
この手段により、停止時に残水が残らないので機器内で残水が凍結せず信頼性が向上し、またまた残水のにおいや菌発生を抑止し、さらに次の噴霧時に直接噴射ノズルから残水が冷水として噴霧されることがなくなるので快適性が向上したサウナ装置が得られる。
【００３１】
また、他の手段は、前記開閉弁を配管の最上部に設けたものである（請求項９）。
【００３２】
この手段により、開閉弁の開度に関らず元開閉弁を閉じると排水されるので、停止時に残水が残らないので機器内で残水が凍結せず信頼性が向上し、また残水のにおいや菌発生を抑止し、さらに次の噴霧時に直接噴射ノズルから残水が冷水として噴霧されることがなくなるので快適性が向上するサウナ装置が簡易に得られる。
【００３３】
また、他の手段は、直接噴射手段の開口部を予備噴射手段の開口部より高い位置に設けたものである（請求項１０）。
【００３４】
この手段により、停止の際に吹出口から水が滴下しない快適性が向上したサウナ装置が得られる。
【００３５】
また、他の手段は、給水温度検出手段を設け、水温が低い場合には予備噴射ノズルからのみ噴出することができるようにしたものである（請求項１１）。
【００３６】
この手段により、残水が冷水として噴霧されることがなくなるだけでなく確実に水温が高くなってから直接噴射ノズルから噴霧されるので、快適性が向上したサウナ装置が得られる
【発明の効果】
【００３７】
本発明によれば、浴室内のどの場所でも均一の温湿度が得られるという効果のあるサウナ装置を提供できる。
【００３８】
また、容易に温湿度をコントロールすることができることにより、安定した温湿度の空間で使用者の快適性向上に効果のあるサウナ装置を提供できる。
【００３９】
また、吸込口等の結露を軽減し、カビの発生を抑制するサウナ装置を提供できる。
【００４０】
また、噴射角度変更の駆動部が可変ルーバー用以外に別途不要となるため、より信頼性の高いサウナ装置を提供できる。
【００４１】
また、噴射部が可変ルーバー内部に設けられているため、使用者の嗜好にあった多様なデザインのサウナ装置を提供できる。
【００４２】
また、加熱空気送風手段と噴射手段と加湿空気送風手段を切り替えて温湿度のコントロールをするため、多様な使用者の嗜好に対応した、立ち上がりのを良い、温湿度のコントロールが容易なサウナ装置が得られる。
【００４３】
また個人差にかかわらず体の負荷を軽減しながらドライサウナと近い感覚にすることができるとともにサウナ室内で読書ができる快適なサウナ装置を提供できる。
【００４４】
また、容易に温湿度をコントロールすることができるため、高温高湿の空間から低温低湿の空間まで実現可能なサウナ装置を提供できる。
【００４５】
また、安定した加湿量を供給でき、コンパクトな加湿手段となるため、隠蔽空間等狭い場所にも設置可能という効果のあるサウナ装置を提供できる。
【００４６】
また、気液分離が容易で、均一な大きさの水滴のみが吹出口から吹き出し、比較的大粒な水滴は吹出口から吹き出さず、使用者が常に快適なサウナを体感できる効果のあるサウナ装置を提供できる。
【００４７】
また、滞留水の排水が容易で、残水が噴霧されたりせず雑菌などが繁殖しにくく、残水による凍結のないサウナ装置を提供できる。
【００４８】
また、効率良く各種ファンを動作することができる効果のあるサウナ装置を提供できる。
【発明を実施するための最良の形態】
【００４９】
本発明の請求項１記載の発明は、空気を加熱する加熱手段と、この加熱手段により加熱された空気を送風する加熱空気送風手段と、水または温水を噴射する直接噴射手段と、前記直接噴射手段に水または温水を供給する給水手段と、送風のための吸込口および吹出口とを備え、前記加熱空気送風手段の下流側に前記噴射手段を設けたものであり、加熱空気の送風域に水または温水の噴霧により発生したミストは霧化状態であり、比較的大粒の水滴も加熱空気と一緒に吹き出され、気流で搬送されて拡散するとともに、蒸散により水滴が微細化という作用を有する。そして、気流は浴室内を循環するので、温湿度むらをなくすという作用を有する。また、吹き出す加熱空気の風量により、容易に温湿度をコントロールすることができるため、安定した温湿度の空間を実現できるという作用も有する。また、吸込口の水滴の付着と結露が軽減できるため、カビの繁殖を抑制できるという作用も有する。
【００５０】
また、請求項２記載の発明は、噴射手段を吹出口の上流側近傍に設け、送風吹出方向を可変可能なルーバーを前記吹出口に設けた構成としたものであり、噴射角度変更の駆動部が可変ルーバー用以外に別途不要となるため、均一な温湿度空間を実現しながらより信頼性を高くできるという作用を有する。また、噴射部が可変ルーバー内部に設けられているため、使用者の嗜好にあった多様なデザインにできるという作用も有する。
【００５１】
また、請求項３記載の発明は、空気を加湿する加湿手段と、この加湿手段により加湿された加湿空気を送風する加湿空気送風手段とを備えるとともに、加熱手段と加熱空気送風手段と給水手段とルーバーと加湿手段と加湿空気送風手段の運転停止を制御して吹き出し空気の状態を変更し、ミストサウナ雰囲気すなわち水滴の大きさの割合を変化させたものあり、給水手段のみを運転するとノズル噴霧だけで比較的大きな水滴が多く含まれる状態となり、次に給水手段に加えて加熱空気送風手段を運転すると大きな水滴は過熱空気で蒸散して小径化するので、大きな水滴の量が減少した状態となり、また加湿手段と加湿空気送風手段とを運転すると大きさ水滴のない微細水滴のみ状態となり、この状態を適宜制御できるのでミストサウナ雰囲気すなわち水滴の大きさの割合を変化させるという作用を有する。
【００５２】
また、請求項４記載の発明は、加湿手段を、水または温水を供給する給水手段と、前記給水手段から給水された水または温水を噴射する予備噴射手段と、前記予備噴射手段により噴射された水または温水を衝突させて破砕する水破砕手段と前記水破砕手段により供給された水滴群を大粒の水滴と微細な水滴に分離し、大粒の水滴を除去する気液分離手段とにより構成したものであり、大粒の水滴が除去されるので、微細水滴だけが発生してほぼ相対湿度１００％に近い空気が供給されという作用を有するとともに、水が破砕される段階で噴射による発生に加えて破砕で微細化された水滴が加湿に寄与するという作用を有し、さらにレナード効果による水分子負荷負イオンを含んだ高湿度空気が生成される。
【００５３】
また、請求項５記載の発明は、加熱空気送風手段に加熱送風量を可変する加熱送風可変手段を設け、加湿空気送風手段に加湿送風量を可変する加湿送風可変手段を設けたものであり、加熱空気の送風量でサウナ空間の加温量が調整を行い、また加湿空気の送風量でサウナ空間の加湿量と加熱量がの調整をおこなう作用を有し、この二つの送風量調整すなわち２つのファンノッチの切替でサウナ空間の温湿度がきめ細かく調整するという作用を有する。
【００５４】
また、請求項６記載の発明は、吹出口を天井面から下に離したパネルに開口して吹出し風路を形成するとともに、吸込口をパネルと天井面との間隔におよびまたはパネル面に形成して吸込み風路を形成したものであり、下面の開口部がすべて吸込み風路となる構成にできるため、吸込み風路の空気抵抗が減り効率的なファン動作を行なえるだけでなく、装置内部への加熱送風手段と加湿送風手段の配置の自由度が高まり、簡易な構成を作れるという作用を有する。
【００５５】
また、請求項７記載の発明は、水または温水を供給する給水手段に元開閉弁を設けるとともに、直接噴射ノズルと予備噴射弁ノズルそれぞれに開閉弁を設け、停止時に直接噴射弁と予備噴射弁それぞれの開閉弁を開にして残水を排水するようにしたもので、給水手段に設けた元開閉弁を閉め、直接噴射弁と予備噴射弁を開にすると、直接噴射ノズルまたは予備噴射ノズルのどちらかの開口から空気が流入し、配管中の残水が排水されるという作用を有する。
【００５６】
また、請求項８記載の発明は、水または温水を供給する給水手段に元開閉弁を設けるとともに、元開閉弁から先を分岐し、分岐した一方に直接噴射ノズルまたは予備噴射ノズルのどちらのノズルを設けるとともに、分岐した他方には直接噴射ノズルまたは予備噴射ノズルのどちらか残りのノズルを開閉弁を介して設けた構成としたもので、分岐した一方を予備噴射ノズルとすると、元開閉弁を開けると加湿手段として予備噴射ノズルからミストが噴出して加湿され、次に直接噴射弁を開けると直接噴射ノズルからミストが噴出して加湿され、そして停止時は元開閉弁を閉じ直接噴射弁を開けると配管中の残水が排水されるという作用を有する。
【００５７】
また、請求項９記載の発明は、前記開閉弁を配管の最上部に設けたもので、開閉弁が最上部にあるので、開閉弁の開度に関らず元開閉弁を閉じると排水されるという作用を有する。
【００５８】
また、請求項１０記載の発明は、直接噴射手段の開口部を予備噴射手段の開口部より高い位置に設けたもので、予備噴射手段の開口部から残水が排出されるので、吹出口に水が滴下しないという作用を有する。
【００５９】
また、請求項１１記載の発明は、給水温度検出手段を設け、水温が低い場合には予備噴射ノズルからのみ噴出することができるようにしたもので、水温が高くなってから直接噴射ノズルから噴霧されるという作用を有する。
【００６０】
以下、本発明の実施の形態について図面を参照しながら説明する。
【００６１】
（実施の形態１）
図１は、本発明の実施の形態１におけるサウナ装置の設置した状態を示す設置状態図である。
【００６２】
図１において、浴室等よりなるサウナ対象室１の天井裏空間２にサウナ装置を形成する装置本体３を設け、この装置本体３は開口面を下面に形成した本体開口部４を有した箱状のものであり、天井開口部５を介してサウナ対象室１に連通している。この装置本体３には、水または温水を装置本体３に供給する給水手段として給水管６が接続され、また装置本体３から排出される水を排水する排水管７が接続されている。さらに、加熱手段の熱源である給湯機８から、熱源側温水循環回路として循環温水回路往路管９と循環温水回路復路管１０とが接続されている。なお、サウナ装置の運転停止をおこなうリモコン１１は脱衣室または浴室等のサウナ対象室１の内部、例えばバスタブ１２の付近に設置されている。
【００６３】
次に、図２は、本発明の実施の形態１におけるサウナ装置であって、装置本体３と、本体開口部４を覆う内側パネル１３と、内側パネル１３に取付けられて浴室等のサウナ対象室１に露出する外側パネル１４との構成を示すサウナ装置の分解斜視図である。図２において、図１と同じ構成要素については同じ符号を使い説明を省略する。
【００６４】
図２において、装置本体３の内部には空気を加熱する加熱手段としてフィンアンドチューブ式の水−空気熱交換器１５が設けてあり、この水−空気熱交換器１５の熱交換器入口管１６が循環温水回路往路管９（図省略）に接続されており、熱交換器出口管１７が循環温水回路復路管１０（図省略）に接続されている。さらに、水−空気熱交換器１５の上方には加熱された空気を送風する加熱空気送風手段として還流ファン１８を設けるとともに、装置本体３内に還流ファン１８による風路（図省略）を形成し、前記風路の出口が装置本体３の下部に本体吹出口１９として構成されている。一方、内側パネル１３には本体吸込口２０が水−空気熱交換器１５面に対向して設けられており、内側パネル１３を取付けて還流ファン１８を運転すると、本体吸込口２０から水−空気熱交換器１５を通り、そして還流ファン１８を経て本体吹出口１９に至る加熱空気送風路２１が形成される。
【００６５】
サウナ対象室１および装置本体３内部を暖房運転するとき、つまり加熱するときには、給湯機８から温水が循環温水回路往路管９を介して装置本体３に送り込まれ、熱交換器入口管１６を経て水−空気熱交換器１５で熱交換されたのち、熱交換器出口管１７から循環温水回路復路管１０を介して熱源である給湯機８に戻る。このときに加熱された空気が加熱空気送風路２１により吹き出す。
【００６６】
さらに、加熱空気送風手段の下流側には直接噴射手段として直接噴射ノズル２２が給水管６（図省略）から接続されている。この直接噴射ノズル２２としては、例えば本体吹出口１９の長手方向に沿って長く、短手方向に沿って短く、フラットに噴射するタイプ（長手方向：噴射角度１０°〜１４０°、短手方向：噴射孔から１００ｍｍの位置で２０ｍｍ幅以下）のものを用い、本体吹出口１９の送風面をカバーするようにミストを噴出させる。なお、本体吹出口１９の近傍でなくとも加熱空気送風手段の下流側であればどこにあっても構わなく、送風路をほぼ遮断するようにミストが噴出すればよい。そして、給水管６を介して市水が装置本体３に送水されると、サウナ対象室１または装置本体３内部が加湿される。なお、市水は例えば給湯機（図省略）等を介して温水にして供給してもよい。
【００６７】
上記構成において、加熱手段と加熱送風手段を運転すると、例えば５０℃の温風が送風され、この加熱空気送風路２１に直接噴射ノズル２２により水または温水を噴射すると、噴出したミストは霧化状態であるため加熱空気の送風域において搬送され、本体吹出口１９からサウナ対象室１へと吹き出すとともに、搬送過程では水滴が蒸散して小径化する。そして、サウナ室１には循環気流が形成されて攪拌されるので温湿度ムラがないサウナ状態が形成される。また水滴は小径化しながら室内を循環して本体吸込口２０に戻るので、水滴の付着や結露が低減し、濡れが低減する（請求項１）。
【００６８】
（実施の形態２）
また、本発明の実施の形態２は、図２に示すように、内側パネル１３には本体開口部５に連接してダクト形状の内側パネル吹出風路２３が形成してあり、さらに外側パネル１４に内側パネル吹出風路２３対向した吹出口２４が設けてある。そして、吹出口２４には、送風方向を変更可能にするルーバー２５が設けてある。
【００６９】
図３は本発明の実施の形態２におけるサウナ装置であって、吹出口２４部分の内部構成を示す吹出部断面図である。図３において、図１および図２と同じ構成要素については同じ符号を使い説明を省略する。
【００７０】
図３において、直接噴射ノズル２２は吹出口２４の上流側近傍である内側パネル吹出風路２３に噴射位置があり、直接噴射ノズル２２からの噴射方向は室内側に向くように設置してある。また、ルーバー２５により、加熱空気送風路２１は吹出方向が変更可能である。
【００７１】
上記構成において、ルーバーの方向を変更すると直接噴射ノズル２２から噴霧されたミストは気流に乗り、変更された吹出方向に合わせて噴射角度を変えて拡散していくことになる。よって、噴射方向を変更するために、直接噴射ノズル２２を駆動させる等の機械的な構成が不要であるので、信頼性の高いミスト装置が得られるし、水滴が使用者に直接かかることがなくなるので快適なミスト装置が得られる。なお、ルーバーを下向きにしたときには風向が変更されず、噴射された水滴は直接サウナ対象室１に噴出し、加熱空気送風路２１の送風を停止すれば、従来例のミストサウナとなることはいうまでもない。
【００７２】
そして、直接噴射ノズル２２がルーバー２５の内部即ち装置本体３の内部に設けられているため本体外に露出せず、さらに停止時にルーバー２５を閉じるようにすることもできるので、外側パネル１４のデザインにより使用者の嗜好にあった多様なデザインのサウナ装置が得られる（請求項３）。
【００７３】
（実施の形態３）
また、本発明の実施の形態３は、図２示すように、装置本体３内部に空気を加湿する加湿手段とこの加湿手段により加湿された加湿空気を送風する加湿空気送風手段を設けた加湿ユニット２６と、サウナ装置の制御手段として電気的な制御機器を収納した電装部２７が設けてある。そして、加湿ユニット２６とサウナ対象室１を連通するために、加湿吸込口２８が内側パネル１３の加湿ユニット２６の下側に位置して開口してある。
【００７４】
また、図４は本発明の実施の形態３におけるサウナ装置であって、加湿ユニット２６の内部構成を断面で示す断面構成図である。図４において、図１と図２と図３と同じ構成要素については同じ符号を使い説明を省略する。
【００７５】
図４において、加湿ユニット２６は加湿された加湿空気を送風する加湿空気送風手段として例えばシロッコファン２９と加湿送風用モーター３０とシロッコファン２９の送風ガイドとなるケーシング部３１を構成するとともに、ケーシング３１に連接する加湿ダクト部３２を構成し、加湿ダクト３２の端部３３は塞ぐとともに上側に開口部３４が設けてあり、この開口部３４に連接して加湿用吹出ダクト３５が構成してある。従って、シロッコファン２９の吸込側に加湿部吸込口３６を設けて、加湿ユニット風路３７が形成される。さらに加湿用吹出ダクト３５の先は内側パネル吹出風路２３において加熱空気送風路２１と合流（図省略）するように構成してある。
【００７６】
また、加湿ダクト部３２には上側からダクト内部に水または温水を噴射する予備噴射手段としての予備噴射ノズル３８を設け、給水管６から接続してある。この予備噴射ノズル３８のダクト内の対向する部位には噴射された水滴の水破砕手段として衝突板３９が設けてある。衝突板３９は例えば網などで作られるもので、噴霧された水滴が衝突してさらに分裂する作用を有するものである。なお、金属などの固い材質で構成したり、櫛葉形状、凸凹形状などで構成すると、より衝突した時の破砕効果を増すのはいうまでもない。さらに、加湿ユニット風路３７の下流側には気液分離手段としてエリミネータ４０を設けるともに加湿ダクト部３２の端部３３の下側に排水口４１が設けられていて、排水管７につながっている。エリミネータ４０は、メンテ性がよく安価な樹脂製のものであるが、フィンアンドチューブ型の温水コイルや金属製のエリミネータ、ブラシやセラミック製の多孔質物体などで構成したり、加湿空気と排水が流れる空間を仕切り板で区切った場合、より気液分離性能が増すことはいうまでもない。
【００７７】
上記構成において、加湿送風用モーター３０を運転してシロッコファン２９で送風すると加湿ユニット風路３７に送風され、予備噴射ノズル３８から圧力を有した水または温水を噴射すると噴射によって生じた水滴と衝突板３９に衝突して発生した水滴により送風空気が加湿及び熱交換される。その後、エリミネータ４０を通過する時に、大粒水滴と微細な水滴に分離され、微細な水滴のみ（水滴径５０μｍ以下）が加湿用吹出ダクト３５より内側パネル吹出風路２３に送られる。この空気は空気中に微細水滴を含み高湿度の空気である。一方、空気に含まれず、熱交換されて温度が下がった水分と大粒水滴は加湿ダクト部３２の底面を流れ、排水口４１から排水管７を通って排水される。なお、予備噴射ノズル３８と衝突板３９の距離を長くしたり、予備噴射ノズル３８を複数個設けたり、流量可変弁を設けて噴射する水量を増やして流速を上げたりすると、より衝突した時の破砕効果を増し、加湿効率が上がる。即ち、加湿は送風中へ水滴を噴霧しこの水滴が蒸散することで空気中の水蒸気分圧を高め高湿度状態が作られるので、風量が少ない状態や空気温度が低い場合は飽和水蒸気分圧が低いために少ない水分で高湿度となり湿度１００％の状態になりやすいが、風量の増加や空気温度の上昇につれて供給する微細水滴を増やす工夫が必要となる。また、水滴が破砕される際にレナード効果による水分子負荷負イオンを含んだ高湿度空気が生成される。
【００７８】
さらに、図５は本発明の実施の形態３におけるサウナ装置の運転モード制御系統を示すブロック図である。図５において、図１から図４と同じ構成要素については同じ符号を使い説明を省略する。
【００７９】
図５において、サウナ装置の制御手段として電気的な制御機器を収納した電装部２７には、関連する電気制御装置として、サウナ装置を制御するマイコン４２があり、このマイコン４２の入力側には運転信号受信部４３が接続されていて、リモコン１１からの信号を受信するようにしてある。
【００８０】
また、マイコン４２の出力側には、加熱手段を運転するための加熱手段運転信号出力部４４があり、ここから信号が出力されると熱源である給湯機が運転されることにより温水が流れる。
【００８１】
また、マイコン４２の出力側には、加熱空気送風手段の還流ファン１８を駆動する加熱送風モーター４５を運転するとともに加熱送風量を可変する加熱送風可変手段として加熱送風モーター４５の回転を可変する加熱送風モーター制御回路４６が接続されている。
【００８２】
また、マイコン４２の出力側には、直接噴射手段である直接噴射ノズル２２と給水管６との間に設けられて流水路を開閉する直接噴射弁４７を開閉する直接噴射弁駆動回路４８が接続されている。
【００８３】
また、マイコン４２の出力側には、ルーバー２５を駆動するルーバーモーター４９につながり、ルーバーを開閉したり風向を変更する開度に向けるルーバー駆動回路５０が接続されている。
【００８４】
また、マイコン４２の出力側には、加湿手段である予備噴射ノズル３８と給水管６との間に設けられて流水路を開閉する予備噴射弁５１を開閉する予備噴射弁駆動回路５２が接続されている。
【００８５】
また、マイコン４２の出力側には、加湿空気送風手段のシロッコファン２９を駆動する加湿送風用モーター３０を運転するとともに加湿送風量を可変する加湿送風可変手段として加湿送風用モーター３０の回転を可変する加湿送風モーター制御回路５３が接続されている。
【００８６】
また、マイコン４２の出力側には、給水手段からの給水を加熱するための温水信号出力部５４があり、ここから信号が出力されると例えば給湯機や水用ヒーター（図省略）によって給水が加熱されるようになっている。
【００８７】
そしてマイコン４２には、リモコン１１からの信号に対応して、加熱手段運転信号出力部４４、加熱送風モーター制御回路４６、直接噴射弁駆動回路４８、ルーバー駆動回路５０、予備噴射弁駆動回路５２、加湿送風モーター制御回路５３、温水信号出力部５６のどの出力を行なうか予め記憶させている運転モードデーダ部５７が接続されている。
【００８８】
そのほか、サウナ対象室１の温度や湿度を吸込み温度や湿度で検出するセンサー（図省略）が接続されるとともに、リモコンからはモード信号のほか風量や設定温度と湿度の情報が入力され、この状態に制御するプログラムもマイコン４２には設けられている。
【００８９】
【表１】
2006288712.tif 000003
【００９０】
表１は本発明の実施の形態におけるサウナ装置の制御系統の運転モードロジックを示すロジック表である。表１において、図１から図５と同じ構成要素については同じ符号を使い説明を省略する。
【００９１】
即ち、リモコン１１からの信号のひとつはパワフルモードであり、運転モードデーダ部５６に記憶された出力データは、加熱手段運転信号出力部４４、加熱送風モーター制御回路４６、直接噴射弁駆動回路４８、ルーバー駆動回路５０、予備噴射弁駆動回路５２、加湿送風モーター制御回路５３、温水信号出力部５６全てがＯＮとなる運転モードである。また、他の運転モードはマイルドモードであり、ウェットモードであり、そしてクールダウンモードである。
【００９２】
上記構成において、サウナ装置がパワフル運転を行うと、加湿送風モーター制御回路５３のＯＮにより加湿送風手段の加湿送風用モーター３０の運転が運転し、また、加熱送風モーター制御回路４６のＯＮにより加熱送風手段の加熱送風モーター４５が運転するので、サウナ対象１内の空気は、加湿用吸込口２８と本体吸込口２０より装置本体３内に吸い込まれる。加湿用吸込口２８より吸い込まれた空気は加湿ユニット風路３７を通り、予備噴射弁駆動回路５２と温水信号出力部５６のＯＮによって予備噴射ノズル３８により噴霧されたに温水で加熱加湿され、加湿空気は加湿ダクト部３２より吹出口２４の手前に設けた内側パネル吹出風路２３に送られる。
【００９３】
一方、内側パネル１３に設けた本体吸込口２０より装置本体３内に吸い込まれた空気は、加熱手段運転信号出力部４４がＯＮとなって熱源から温水が供給された水−空気熱交換器１５により加熱され、加熱空気は加熱空気送風路２１を経て内側パネル１３に設けた本体吹出口１９より吹出口２４の手前に設けた内側パネル吹出風路２３に送られ、加湿空気と加熱空気を合流して混合し、合流した加熱加湿空気は外側パネル１４に設けた吹出口２４からルーバー駆動回路５０がＯＮとなって開口したルーバー２５よりサウナ対象室１に吹き出す。
【００９４】
さらに、直接噴射弁駆動回路４８の０Ｎにより直接噴射弁４７が開となり、また温水信号出力部５６のＯＮにより温水が直接噴射ノズル２２から内側パネル吹出風路２３に向かって比較的大粒の水滴として噴射される。なお、ルーバー駆動回路５０がＯＮの時は、リモコン１１で開度が調節でき、設定された角度に開いたルーバー２５の表面を通過する加熱加湿空気と合流して、微細な水滴に加えて可視できる比較的大粒の水滴を加えた状態で、使用者の設定した角度に向かって、サウナ対象室１に送られ、サウナ対象室１が、使用者がより短時間で発汗可能なサウナ空間となるものである。空気の状態は湯気が充満している状態で、微細水滴も加わり、運転モードのなかで最も高湿度となる。
【００９５】
次に、マイルドモードのサウナ運転を行うと、パワフルモードに対して直接噴射弁駆動回路４８がＯＦＦとなるので、加湿手段の予備噴射ノズル３８から加温水が噴霧されてシロッコファン２９で加湿空気がは加湿ユニット風路３７を送風され、水−空気熱交換器１５で加熱された加熱空気が貫流ファン１８で送風されて、内側パネル吹出風路２３で合流して可視できない微細な水滴を含む加熱加湿空気だけがサウナ対象室１に送られ、サウナ対象室１が、使用者が長時間リラックスしながら発汗可能なサウナ空間となる。空気の状態は湯気がない状態である。
【００９６】
次に、ウェットモードのサウナ運転を行うと、予備噴射ノズル３８からの水滴噴射が停止し、直接噴射ノズル２２から内側パネル吹出風路２３に向かって比較的大きな水滴が噴射され、貫流ファン１８で送風された水−空気熱交換器１５で加熱された加熱空気と合流して、可視できる比較的大粒の水滴だけがサウナ対象室１に送られる。このときにルーバー２５の角度を調整すれば、使用者に噴出したミストの吹出域を向けることもできるので、体を濡らしながら発汗可能なサウナ空間となる。このとき、加湿ユニットには水が供給されて噴霧されていないので、排水口４１からは排水されない。空気の状態は湯気が充満している状態である。
【００９７】
次に、クールダウン運転を行うと、加熱されない市水が予備噴射ノズル３８から噴霧されてこのときに吸込んだ空気を気化熱で冷却され、さらに加熱されない市水が直接噴射ノズル２２から内側パネル吹出風路２３に噴射され加熱されない空気と合流して、比較的大粒の水滴を含む空気がサウナ対象室１に送られるので、サウナ対象室１が、使用者が体に付着した水滴の気化熱を奪われクールダウンしながら汗を洗い流せるサウナ空間となり、使用者がサウナ体感後、クールダウンや汗を洗い流してリラックスしたい場合に有用な空間となる。
【００９８】
また、パワフルモードのサウナ運転時に、サウナ対象室１の温度や湿度を吸込み温度や湿度センサーで検出して運転開始時から一定時間経過後一定の温度や一定の湿度に到達した時に、直接噴射ノズル２２または予備噴射ノズル３８の噴射を停止する制御を行なったり、加熱空気送風路２１または加湿ユニット風路３７の送風量を減らすまたは停止する制御を行なう。この動作は、具体的には温度を調節するときは、加熱量を減らすためには加熱送風モーター制御回路４６により還流ファン１８の回転数を下げて加熱空気送風路２１の送風量を下げてことで行なえ、また湿度を調節するときは、加湿量を減らすためには加湿送風モーター制御回路５３によりシロッコファン２９の回転数を下げて加湿ユニット風路３７の送風量を下げることで行なえる。マイルドモードやウェットモードでも、同様な方法が取れる。さらに、温水信号出力部５６の出力をＯＦＦにしたり、加熱手段運転信号出力部４４をＯＦＦするとともに、サウナ対象室１を循環するのに最低限の送風量で運転すれば、温湿度ムラかない状態で運転できることはいうまでもない。
【００９９】
なお、本発明の実施の形態３では、温水を循環させて熱交換させるシステムとして、給湯器８と循環温水往路管９と循環温水回路復路管１０と水−空気熱交換器１５や市水加熱用として給湯機や加熱ヒーターなどで構成しているが、Ｒ４１０ＡやＣＯ２などの冷媒を循環させて熱交換させるシステムとして、圧縮機を搭載した熱源機と冷媒配管と冷媒用熱交換器などで構成してもよく、また市水を加熱する方法として給湯機８の循環温水往路管９に水−水熱交換器を設け、この水−水熱交換器に市水を通して加熱しても同様な効果となることはいうまでもない。
【０１００】
このことにより、微細な水滴が加熱空気と一緒に吹き出されるため、吹出口２４から吹き出される空気の温湿度が均一となり、むらがなくなり、均一の温湿度のサウナ対象室１が得られるサウナ装置となる。
【０１０１】
また、直接噴射ノズル２２を加熱空気送風手段の下流側に設け、吹き出す加熱空気の風量により、容易に温湿度をコントロールすることができるため、安定した温湿度の空間を実現できる。また、加湿吸込口２８と本体吸込口２０と内側パネル１３と外側パネル１４にはサウナ対象室１を循環し小径化した水滴の雰囲気空気が到達するため、結露が軽減されカビの繁殖を抑制できる。
【０１０２】
また、直接噴射ノズル２２をルーバー２５の上流側近傍に設け、ルーバー２５の設定角度により、加熱加湿空気の吹き出し方向を可変できるため、噴射角度変更の駆動部がルーバー２５以外に別途不要であり、均一な温湿度空間を実現しながら、より信頼性を高くできる。また、直接噴射ノズル２２がルーバー２５の内部に設けられているため、使用者の嗜好にあった多様なデザインにできる。
【０１０３】
また、直接噴射ノズル２２で噴射された水滴流速が、加熱空気送風路２１の送風風速により、より早くなり、また、水滴がより微細化されるため、１．５坪などの広い浴室などでも、加熱空気と加湿空気が届きやすく、均一な温湿度空間が得られる。
【０１０４】
また、直接噴射ノズル２２と予備噴射ノズル３８の噴射の制御と、加熱空気送風路２１と加湿ユニット風路３７の送風量の制御と、温水信号出力部５６の出力と加熱手段運転信号出力部４４の出力を切り替えて温度湿度のコントロールをするため、多様な使用者の嗜好に対応した、立ち上がりの良い、安定した温湿度空間を実現できる。
【０１０５】
また、エリミネータ４０により大粒の水滴と微細な水滴に分離し大粒の水滴を回収ことにより、加湿空気が微細水滴のみを含んだものとなり、内側パネル吹出風路２３で加熱空気が合流し、吹出口２４より吹き出される吹出空気内の温湿度分布が良くなり、水滴感のないサウナ対象室１を得ることができる。このことにより使用者に水滴によるわずらわしさを与えることのない空間となるサウナ対象室１を提供できるので、サウナ対象室１内での読書が可能となり、サウナ対象室１の利用範囲を広げることができ、また衝突板３９への水の衝突で水を微細化することにより、レナード効果により負イオンを多く含んだ空気をサウナ対象室１内に送風することができる。
【０１０６】
また、加熱量の増減は加熱送風モーター制御回路４６により還流ファン１８の回転数を増減することにより加熱空気送風路２１の送風量を増減して行なえ、加湿量の増減は加湿送風モーター制御回路５３によりシロッコファン２９の回転数を増減することにより加湿ユニット風路３７の送風量を増減して行なえるため、加湿量はある範囲までは風量にほぼ比例となって増加するため、加湿量制御が行ない易く、温度制御と併せて低温低湿空間から高温高湿空間まで容易に温度湿度のコントロールを行うことができる。
【０１０７】
また、吹出口２４を開口を内側パネル吹出風路２３を連通させてサウナ対象室１の室内に露出した外側パネル１４に設けたため、外側パネル１４と内側パネル１３の開口部からすべて吸込み、また内側パネル１３に適宜本体吸込口２０と加湿吸込口２８を設ければ、吹出口加熱空気送風路２１と加湿ユニット風路３７が構成できるので、吸い込み抵抗を軽減でき、効率良く貫流ファン１８とシロッコファン２９を動作することができる（請求項３、４、５、６）。
【０１０８】
（実施の形態４）
また、図６は本発明の実施の形態４におけるサウナ装置であって、直接噴霧ノズル２２と予備噴射ノズル３８のノズル接続状態を示す構成図である。図６において、図１から図５までと同じ構成要素については同じ符号を使い説明を省略する。
【０１０９】
図６において、給水管６に元開閉弁５６が接続されていて、それから先で分岐し、一方は予備噴射弁５１を介して予備噴射ノズル３８が接続されており、他方には直接噴射弁４７を介して直接噴霧ノズル２２が接続されている。なお、直接噴霧ノズル２２は加熱空気送風路２１に設けられ、また予備噴射ノズル３８は加湿ユニット風路３７に設けられている。また、配管は残水が流れる際に障害となるトラップ形状、即ち途中で上向きになってしかるのちに下向きに配設されるいわゆる鳥居配管にはしていないものである。そして、停止時には元開閉弁５６を閉にするとともに予備噴射弁５１と直接噴射弁４７を開にするものである。
【０１１０】
上記構成において、停止時にはノズル噴射口（図示省略）から配管中の残水が排出されるので、配管内に残水が残らず、機器内で残水が凍結しないので信頼性が向上し、また残水のにおいや菌発生を抑止し、さらに残水を噴霧することがないので快適性が向上したサウナ装置が得られる（請求項７）。
【０１１１】
（実施の形態５）
また、図７は本発明の実施の形態５におけるサウナ装置であって、直接噴霧ノズル２２と予備噴射ノズル３８のノズル接続状態を示す構成図である。図７において、図１から図６までと同じ構成要素については同じ符号を使い説明を省略する。
【０１１２】
図７において、給水管６に元開閉弁５６が接続されていて、それから先で分岐し、一方には予備噴射ノズル３８が接続されており、他方には開閉弁として直接噴射弁４７を介して直接噴霧ノズル２２が接続されている。また、直接噴射弁４７は配管５７の最上部に設けられ、即ち予備噴射ノズル３８よりＨ１ｍｍ上方にある。そして、直接噴射弁４７より少し下がったところで予備噴射ノズル３８よりＨ２ｍｍ上方に直接噴霧ノズル２２が設けてある。配管５７は、予備噴射ノズル３８と直接噴霧ノズル２２に向かって連続的に下がる形状とし、配管は途中で上向きになってしかるのちに下向きに配設されるいわゆる鳥居配管にはしていないものである。そして、配管５７には、給水温度検出手段として水温センサー５８が設けてあって、加温加湿を行なう際にはたとえば４０℃以上にならなければ
直接噴射弁４７を開かないという制御が設定してある。
【０１１３】
上記構成において、停止時には元開閉弁５６を閉じるだけで直接噴射弁４７の開閉に関らずノズル噴射口（図示省略）から残水が排出されるので、配管内に残水が残らず、機器内で残水が凍結しないので信頼性が向上し、また残水のにおいや菌発生を抑止し、さらに残水を噴霧することがないので快適性が向上したサウナ装置が得られる。さらに、水温センサー５８によって、冷水が供給された場合には予備ノズルからのみ噴射され、加湿分は加熱によって加温され、加湿に用いられない分離された水は排水間４１から室外に排水されるため、サウナ対象室内１には冷たい水滴が供給されないのでより快適性が向上したサウナ装置が得られる。
【０１１４】
また、Ｈ２をＨ１より数ミリ以上高くし、停止時直接噴射弁４７を開にすると、配管５７内の残水は全て予備噴射ノズル３８から加湿ユニット２６に滴下し、排水口４１より排水されるので、停止時に吹出口２４から滴下することはなく、快適なサウナ装置を提供できる。
【０１１５】
なお、直接噴射弁４７と直接噴霧ノズル２２の間を短くしておけばこの間の残水は少なくなるので、例えばルーバー２５と閉じて滴下水滴をルーバー裏側に設けた不織布に吸収させて滴下を防止する手段もとれるものである。
【０１１６】
また、本発明のごとく２つの加湿手段を用いて加湿を行なう場合には、その湿度制御は一般的に２つの加湿手段を同時に運転／停止する制御よりも、まず１つの加湿手段を運転／停止し次に残りの加湿手段を運転／停止する段階制御が行なわれるものであるから、元開閉弁を開けると加湿手段として予備噴射ノズルからミストが噴出して加湿され、次に直接噴射弁を開けると直接噴射ノズルからミストが噴出して加湿され、弁数を減らして有用な制御を行なうことができるものである（請求項８、９、１０、１１）。
【産業上の利用可能性】
【０１１７】
厳寒の北海道の地区では冬の暖房時には必ず加湿をする必要があることから、暖房装置と加湿装置を一体に設けた空気調和装置の用途にも適用できる。
【０１１８】
また、微細水滴の作用により植物の保存、発育促進を目的とする装置に適用することができる。
【０１１９】
また、水破砕を用いた加湿器として、滝効果と同じ負イオン発生装置に適用することができる。
【図面の簡単な説明】
【０１２０】
【図１】本発明の実施の形態１のサウナ装置の設置状態図
【図２】同サウナ装置の分解斜視図
【図３】本発明の実施の形態２のサウナ装置の吹出部断面図
【図４】本発明の実施の形態３のサウナ装置の加湿ユニットの断面構成図
【図５】同サウナ装置の運転モード制御系統を示すブロック図
【図６】本発明の実施の形態４のサウナ装置のノズル接続状態を示す構成図
【図７】本発明の実施の形態５のサウナ装置のノズル接続状態を示す構成図
【図８】従来のミスト装置のミストと加熱空気を吹き出している状態を示す断面図
【図９】従来のミスト式浴室暖房装置のミストを吹き出している状態を示す概略図
【符号の説明】
【０１２１】
６    給水管
１５  水−空気熱交換器
１８  貫流ファン
１９  本体吹出口
２０  本体吸込口
２１  加熱空気送風路
２２  直接噴射ノズル
２４  吹出口
２５  ルーバー
２６  加湿ユニット
３８  予備噴射ノズル
５１  予備噴射弁
【図１】
2006288712.tif 000004
【図２】
2006288712.tif 000005
【図３】
2006288712.tif 000006
【図４】
2006288712.tif 000007
【図５】
2006288712.tif 000008
【図６】
2006288712.tif 000009
【図７】
2006288712.tif 000010
【図８】
2006288712.tif 000011
【図９】
2006288712.tif 000012